(57)【要約】【課題】簡単な構造でありながら、被裁断物の投入口及び裁断屑の取り出し部における怪我の発生を防止でき、尚且つ、不使用時における安全性を確保できるシュレッダーを提供する。  【解決手段】ハウジング１０に設けられた投入口３から被裁断物を投入し、被裁断物を回転刃１２で裁断し、回転刃の下方に設けられた屑収容箱２０に排出するシュレッダー１において、投入口を覆う蓋３０と、屑収集箱をハウジングから取り出すための取出部材２１とをハウジングに設け、蓋が前記投入口を閉塞した際に、蓋と共にハウジングを閉塞している取出部材を固定するロック部３２を設けた。【選択図】図１
2008068173.tif 000002
【特許請求の範囲】
【請求項１】
ハウジング（１０）に設けられた投入口（３）から被裁断物を投入し、該被裁断物を回転刃（１２）で裁断し、該回転刃（１２）の下方に設けられた屑収容箱（２０）に排出するシュレッダー（１）において、
前記投入口（３）を覆う蓋（３０）と、前記屑収集箱（２０）を取り出すための取出部材（２１）とを、前記ハウジング（１０）に設け、
前記蓋（３０）が前記投入口（３）を閉塞した際に、前記ハウジング（１０）を閉塞した状態の前記取出部材（２１）を固定するロック部（３２）を設けたことを特徴とするシュレッダー。
【請求項２】
前記蓋（３０）は、前記ハウジング（１０）に対して回動可能に取り付けられており、該蓋（３０）の回動端部に、前記取出部材（２１）と係合可能なロック部（３２）を設けたことを特徴とする請求項1に記載のシュレッダー。
【請求項３】
前記蓋（３０’）は、前記ハウジング（１０）に対してスライド可能に取り付けられており、該蓋（３０’）のスライド方向端部に、前記取出部材（２１）と係合可能なロック部（３２’）を設けたことを特徴とする請求項1に記載のシュレッダー。
【請求項４】
前記取出部材は、前記屑収集箱（２０）を収容する前記ハウジング（１０）に設けられた扉（２４）であり、該扉（２４）に、前記蓋（３０”）に設けられたロック部（３２”）と係合する被ロック部（２３”）を設けたことを特徴とする請求項１〜請求項３の何れか1つの請求項に記載のシュレッダー。
【請求項５】
前記取出部材（２１）は、前記ハウジング（１０）に引き出し可能に収容された前記屑収集箱（２０）の前面部であり、該前面部に、前記蓋（３０）に設けられたロック部（３２）を係合する被ロック部（２３）を設けたことを特徴とする請求項１〜請求項３の何れか1つの請求項に記載のシュレッダー。
【発明の詳細な説明】
【技術分野】
【０００１】
本発明は、紙やコンパクトディスク等の被裁断物を細かく裁断するためのシュレッダーに関し、特に、被裁断物の投入口及び裁断屑の取り出し部における安全性の高いシュレッダーに関する。
【背景技術】
【０００２】
シュレッダーの投入口に、誤って指を入れることによる怪我の発生を防止するため技術として、例えば特許文献１に開示されたものがある。
特許文献１に開示の技術は、シュレッダーの投入口に人の指などの望ましくない対象物が進入するのを検知するために、投入口の近傍に人や動物の存在を検知する近接センサを設けるというものである。
【０００３】
一方、裁断屑を屑収集箱から取り出す際の怪我を防止する技術として、例えば特許文献２に開示されたものがある。
特許文献２に開示の技術は、回転刃と屑収集箱との間にシャッターを設け、屑収集箱がハウジング内に収容されている際には、圧縮スプリングの弾性力に抗してシャッターが屑収集箱の屑投入口を開放し、ハウジングから引き出された際には、圧縮スプリングの弾性力によって屑収集箱の屑投入口を遮蔽するというものである。
【特許文献１】特開２００５−９５８９８号公報
【特許文献２】実開昭６４−４８１４６号公報
【発明の開示】
【発明が解決しようとする課題】
【０００４】
しかしながら、特許文献１に開示の技術には、人や動物などの望ましくないものと、裁断しようとする物とを区別して検知できる近接センサが必要である上に、センサの配設位置によっては、被裁断物を差し込む際の作業者の手などにも反応してしまい、裁断作業に支障を来す虞がある。
【０００５】
特に、被裁断物が挿入されると同時に自動的に回転刃１２が回転する構成のシュレッダーにおいては、被裁断物の挿入を検知するセンサが別個に必要になるので、それぞれのセンサの性能や構造が複雑化する上に、取り付け位置の調節が困難である。このため、製造コストが嵩み、商品価格が高くなるので、家庭用のシュレッダーとして普及させるには難しい。
【０００６】
また、特許文献２に開示の技術は、屑収集箱を取り出す際の安全性は高められるが、誤ってシュレッダーを倒してしまった場合に、屑収集箱がハウジングから引き出され、裁断屑が零れ落ちて散乱してしまうといった不都合がある。
そこで、本発明は、簡単な構造でありながら、被裁断物の投入口及び裁断屑の取り出し部における怪我の発生を防止でき、尚且つ、不使用時における安全性を確保できるシュレッダーの提供を目的とする。
【課題を解決するための手段】
【０００７】
上記課題を解決するために、ハウジングに設けられた投入口から被裁断物を投入し、該被裁断物を回転刃で裁断し、該回転刃の下方に設けられた屑収容箱に排出するシュレッダーにおいて、前記投入口を覆う蓋と、前記屑収集箱をハウジングから取り出すための取出部材とを、前記ハウジングに設け、前記蓋が前記投入口を閉塞した際に、該蓋と共に前記ハウジングを閉塞している前記取出部材を固定するロック部を設けたことを特徴とするものである。
【０００８】
この場合、前記蓋は、前記ハウジングに対して回動可能に取り付けられており、該蓋の回動端部に、前記取出部材と係合可能なロック部を設けてもよい。
或いは、前記蓋は、前記ハウジングに対してスライド可能に取り付けられており、該蓋のスライド方向端部に、前記取出部材と係合可能なロック部を設けてもよい。
【０００９】
また、前記取出部材は、前記屑収集箱を収容する前記ハウジングに設けられた扉であり、該扉に、前記蓋に設けられたロック部と係合する被ロック部を設けてもよい。
或いは、前記取出部材は、前記ハウジングに引き出し可能に収容された前記屑収集箱の前面部であり、該前面部に、前記蓋に設けられたロック部を係合する被ロック部を設けてもよい。                                            
【発明の効果】
【００１０】
請求項１に係る発明は、シュレッダーのハウジングに、投入口を覆う蓋と、屑収集箱を取り出すための取出部材とを設け、前記蓋が前記投入口を閉塞した際に、ロック部によって、該蓋と共に前記ハウジングを閉塞している前記取出部材を固定するようにしたので、蓋を開放しない限り、屑収集箱が取り出せないようにすることができる。
即ち、シュレッダーで裁断作業を行うときのみ、投入口を露呈させるために蓋を開放し、不使用時は蓋を閉めておけば、万一、シュレッダーが転倒したり、幼児が悪戯で屑収集箱を引き出そうとした場合であっても、蓋と共に取出部材の閉塞状態が維持される。
【００１１】
このため、幼児の悪戯やシュレッダーの転倒によって、屑収集箱がハウジングから引き出されるといった事態が回避されるので、裁断屑が周囲に散乱したり、屑収集箱を引き出した後のハウジング内に手を入れ、回転刃に接触するといった危険性を回避できる。
これによって、被裁断物の投入口及び裁断屑の取り出し部における怪我の発生を防止でき、不使用時における安全性を確保することができる。
【００１２】
請求項２に係る発明は、ハウジングに対して回動可能に取り付けられた所謂回動式の蓋を採用し、その蓋の回動端部に、取出部材と係合可能なロック部を設けたので、簡単な構成でありながら、被裁断物の投入口及び裁断屑の取り出し部における怪我の発生を効果的に防止できる。
請求項３に係る発明は、ハウジングに対してスライド可能に取り付けられた所謂スライド式の蓋を採用し、その蓋のスライド方向端部に、取出部材と係合可能なロック部を設けたので、簡単な構成でありながら、被裁断物の投入口及び裁断屑の取り出し部における怪我の発生を効果的に防止できる。
【００１３】
請求項４に係る発明は、ハウジングに設けられた扉を開けることによって、屑収集箱を引き出すことができるように構成し、その扉に、蓋に設けられたロック部と係合する被ロック部を設けたので、簡単な構成でありながら、被裁断物の投入口及び裁断屑の取り出し部における怪我の発生を効果的に防止でき、尚且つ不使用時における安全性を確保することもできる。
【００１４】
請求項５に係る発明は、屑収集箱をハウジングに引き出し可能に収容し、その前面部を手前に引き出すことによって屑収集箱の裁断屑を排出できるようにしたものであり、その屑収集箱の前面部に、蓋に設けられたロック部を係合する被ロック部を設けたので、簡単な構成でありながら、被裁断物の投入口３及び裁断屑の取り出し部における怪我の発生を効果的に防止できる。
【発明を実施するための最良の形態】
【００１５】
本発明の好適な実施形態について、添付図面に基づいて説明する。なお、実施形態は以下の形態に限定されるものではなく、本発明の課題を解決し得るものであれば他の態様も可能である。
【００１６】
図１は、本発明の実施形態のシュレッダー１を示す斜視図であり、図２は正面図であり、図３は側面図であり、図４は図２のＡ−Ａ線矢視断面図である。
このシュレッダー１は、紙やコンパクトディスクなどのシート状の被裁断物を裁断するもので、投入口３から投入された被裁断物を、ハウジング１０の内部に設けられた回転刃１２で裁断し、屑収容箱２０に排出するようになっている。投入口３には蓋３０が設けられており、使用時は、この蓋３０を開放して投入口３を露呈させ、不使用時は蓋３０で投入口３が遮蔽されるようになっている。
【００１７】
まず、シュレッダー１のハウジング１０の構成について説明する。ハウジング１０は、縦長直方体状の合成樹脂製の筺体からなるもので、正面の上部には前壁部１５が設けられ、中間部から下端部にかけては大きく開口されている。
この開口部に、屑収集容器２０が引き出し可能に収容されており、この屑収集容器の引き出し面２１（取出部材）によってハウジング１０の正面部が構成される（図２参照）。
ハウジング１０の上面は、図５に示すように、背面寄りの部位に投入口３が形成されている。ハウジング１０上面の正面側の端部から投入口３に向けて、図６に示すように、曲率半径が一定な円弧状の曲面からなる導入面１１が形成されている。
【００１８】
この導入面１１の長さＬは、Ａ４サイズのコピー用紙の長辺の長さに相当し、円弧の曲率半径が約２０ｃｍで中心角が約９０度の扇形の円弧に相当するように設計されている。
このような円弧状の湾曲面によって被裁断物の導入面１１を構成することによって、ハウジング上面の正面側の端に被裁断物を載せるだけで、被裁断物が導入面１１を滑り落ち、円滑に投入口３に投入されるようにできる。また、導入面１１の長さＬが、規格の用紙サイズに合わせたものなので、ハウジング上面の端部に載置した被裁断物が、投入口３とは反対側に落ちてしまうことを防止できる。
【００１９】
この導入面１１の下端部において幅２ｍｍ〜１０ｍｍ程度のスリット状の間隔をあけて、後壁面１３が対向配置される。この後壁面１３は、ハウジング１０の上面から連続し、ハウジング１０の内側に向けて垂設されている。この下端部のスリット状の間隙をもって、本実施形態のシュレッダー１の投入口３が形成される。
【００２０】
このように構成された投入口３の下方には、裁断作用を行うための一対の回転刃１２が配設されている。この回転刃１２は、筒状体の周面に鋭利な切断刃を多数設けたもので、２本の筒状体は、切断刃が対向するように水平に並列させて配置され、両端部においてハウジング１０内部に設けられたフレームに回転可能に支承されている。
【００２１】
この回転刃１２の上方（例えば、導入面１１の所定部位）には、図示しないセンサが取り付けられており、そのセンサが被裁断物の通過を検知することによって、図示しない駆動モータが作動し、回転刃１２が回転するようになっている。
回転刃１２を回転させるための駆動モータは、ハウジング１０に設けられた図示しない電源スイッチをＯＮにすることによって閉じる電源回路に接続されている。
【００２２】
上記回転刃１２を駆動させるための一連の機器は、屑収集箱２０を前方に引き出した際に表れる前壁部１５によって保護されている。
この回転刃１２の下方には、屑収集箱２０が引き出し可能に収容されている。この場合、回転刃１２の下方に屑投入口２２が開口されており、回転刃１２によって裁断された後の裁断屑が屑収集箱２０に受け集められるようになっている。
【００２３】
屑収集箱２０が裁断屑で満杯になった際には、引き出し面２１を前方に引き出して、屑収集箱２０内の裁断屑を排出できるようになっている。
この引き出し面２１の上部の所定位置には、後述する蓋３０に設けられたロック部３２と係合する被ロック部２３が設けられている。この被ロック部２３は、図７に示すように、蓋３０の遮蔽時にロック部３２と係合し、ハウジング１０内に収容された状態の屑収集容箱２０を固定するためのものである。
【００２４】
この屑収集箱２０がハウジング１０内に収容された状態で、この引き出し面２１とハウジング１０とによって、シュレッダーの外殻体が構成されることとなる。
シュレッダーのハウジング１０の上面には、投入口３を覆う蓋３０が回動可能に取り付けられている。
【００２５】
この蓋３０は、ハウジング１０上面の背面側の端縁に設けられた回動支軸３１に枢支されており、前端において垂下された縁部の内側に設けられたロック部３２において、屑収集箱２０の引き出し面２１のロック部２３と係合可能となっている。
即ち、シュレッダーを使用しないときは、蓋３０によって投入口３が遮蔽されると共に、屑収集箱２０がハウジング１０内に収容され、引き出し不能な状態となる。この場合、ロック部３２の係合突起は内部に組み込まれたバネによって付勢されており、被ロック部２３の凹部に収容されることによって、バネの弾性変形によって被ロック部２３と係合状態になる。
【００２６】
これによって、蓋３０が閉じた際に、自動的にロック状態になるようにすることができる。
シュレッダー１によって裁断作業を行なう際は、ロック解除の操作（例えば、蓋３０の縁部を押圧する）を行うことによって、蓋３０が開放され、投入口３が露呈されるようになっている。
この場合、ロック解除の操作によってシュレッダー１の電源が入るようにしてもよい。
【００２７】
上記構成のシュレッダー１の使用方法を説明する。
シュレッダー１を使用しないときは、図８に示す正面図、図９に示す背面図、図１０に示す右側面図、図１１に示す平面図、図１２に示す底面図のように、縦長直方体状のハウジング１０の前面に屑収集箱２０の引き出し面２１が表れ、上面が蓋３０で遮蔽された状態である。このとき、ハウジング１０内に屑収集箱２０が収容され、投入口３が遮蔽された状態でロックされている。
【００２８】
使用の際には、蓋３０を開放して投入口３を露呈させ、ハウジング１０上面の前端部に被裁断物を載置する。すると、円弧状の導入面１１を被裁断物が滑り落ち、投入口３へと至る。投入口３からハウジング１０内部に投入された被裁断物は回転刃１２に至るが、この際、センサによって被裁断物の通過が検知されており回転刃１２は回転状態となっている。この回転状態の回転刃１２の間を被裁断物が通過することによって、被裁断物が回転刃１２に巻き込まれながら細かく裁断される。
【００２９】
このような裁断作業中に、屑収集箱２０が屑で満杯になった場合は、蓋３０を開放した状態で、屑収集箱２０の引き出し面２１を前方に引き出すことによって、屑収集箱を取り出すことができる。
このように、裁断作業と屑収集箱の取り出し作業を行なう時にのみ、蓋３０を開放し、それ以外のときは、蓋３０と屑収集箱２０を共に遮蔽し、ロック部によってその遮蔽状態を固定したので、幼児が悪戯で屑収集箱２０を引き出そうとしても、引き出すことができない。これによって、屑収集箱２０内の切断屑が周囲に散乱することがなく、また、屑収集箱２０が引き出された後の空間部からハウジング１０内部の回転刃１２に接触する虞もない。
【００３０】
また、シュレッダー１の投入口３に向かう導入面１１が、規格の用紙サイズに対応させて形成されている上に、円弧状の曲面で形成されているため、シュレッダー１の前端部から被裁断物を滑り込ませるだけで裁断作業を行うことができる。このため、作業者は、手を伸ばすことによって、離れた位置からでも被裁断物を投入することもできる。
これによって、投入口３の直上からかがみ込むような姿勢で被裁断物を投入する必要がなくなるので、裁断作業者がかがみ込んだ際に、身に着けているネクタイが投入口３からシュレッダー内に入り込み、回転刃１２に巻き込まれるといった事故を防止することもできる。
【００３１】
なお、本実施形態においては、投入口３を覆う蓋３０として、ハウジング１０に対して回動可能に取り付けられたものを採用したが、図１３に示すように、スライド式の蓋３０’でもよい。この場合、蓋３０’のスライド方向端部に、屑収集箱２０の取り出し面と係合可能なロック部３２’を設けるようにする。このロック部３２’は、例えばマグネットの吸着力によって被ロック部２３’に固定させることもできる。
【００３２】
また、本実施形態においては、屑収集箱２０の前面の引き出し面２１を前方に引き出すことで、屑収集箱２０をそのままハウジング１０から取り出せるようにしたが、図１４に示すように、ハウジング１０に扉２４を設け、扉２４を開けることによって屑収集箱２０を取り出せるようにしてもよい。この場合、扉２４に被ロック部２３”を設けることとする。
【産業上の利用可能性】
【００３３】
本発明は、業務用及び家庭用のシュレッダーに使用することができる。
【図面の簡単な説明】
【００３４】
【図１】本発明の実施形態に係るシュレッダーを示す斜視図である。
【図２】上記シュレッダーの正面図である。
【図３】上記シュレッダーの側面図である。
【図４】図２のＡ−Ａ線矢視断面図である。
【図５】上記シュレッダーの蓋を垂直に開放した状態を示す平面図である。
【図６】図４において屑収集箱をハウジング内に収容した状態を示す断面図である。
【図７】図６において蓋を閉めた状態を示す断面図である。
【図８】図７の状態を示す正面図である。
【図９】図７の状態を示す背面図である。
【図１０】図７の状態を示す側面図である。
【図１１】図７の状態を示す平面図である。
【図１２】図７の状態を示す底面図である。
【図１３】本実施形態の第１の変形例を示す斜視図である。
【図１４】本実施形態の第２の変形例を示す斜視図である。
【符号の説明】
【００３５】
１・・・シュレッダー
３・・・投入口
１０・・・ハウジング
１１・・・導入面
１２・・・回転刃
１３・・・後壁面
１５・・・前壁部
２０・・・屑収容箱
２０・・・蓋
２１・・・引き出し面（取出部材）
２２・・・屑投入口
２４・・・扉（取出部材）
２３、２３’、２３”・・・被ロック部
３０、３０’、３０”・・・蓋
３１・・・回動支軸
３２、３２’・・・ロック部
【図１】
2008068173.tif 000003
【図２】
2008068173.tif 000004
【図３】
2008068173.tif 000005
【図４】
2008068173.tif 000006
【図５】
2008068173.tif 000007
【図６】
2008068173.tif 000008
【図７】
2008068173.tif 000009
【図８】
2008068173.tif 000010
【図９】
2008068173.tif 000011
【図１０】
2008068173.tif 000012
【図１１】
2008068173.tif 000013
【図１２】
2008068173.tif 000014
【図１３】
2008068173.tif 000015
【図１４】
2008068173.tif 000016